(57)【要約】【課題】家庭用の水洗トイレシステムにおいて、独立した男子小便用の便器を設けることなく、通常の西洋式の大便器を用いて、しかも男子小便時の小便の便鉢外への飛散を防止し、小便が円滑に便鉢内に収容できるようにする。その際、非衛生的なガイド板やガイド筒などは付加しない。【解決手段】便鉢回動手段を用いて便鉢を便器基部に対して回動させ、男子大便用及び女子大小便用の位置では通常の西洋式の大便器となり、男子小便用の位置では男子用小便器となり、便鉢下部と排水部が水密且つ回動可能なジョイントにて接続されている水洗トイレシステムを提供する。【選択図】        図１
2010047992.tif 000002
【特許請求の範囲】
【請求項１】
給水タンクと便器と便座とトラップのある排水部を有する水洗トイレシステムであって、便器部分が便鉢と基部の２部分よりなり、便鉢と基部の接続部分に便鉢回動手段が設けられ便鉢が基部に対して回動可能に構成されており、使用者が位置する側を前方とした場合に、男子大便用及び女子大小便用の位置にては便鉢が前方に延伸された形態となり、男子小便用の位置にては、便鉢が上方に延伸された形態となり、便鉢底部と排水部が水密且つ回動可能なジョイントにて接続されていることを特徴とする水洗トイレシステム。
【請求項２】
便鉢底部と排水部を接続する水密且つ回動可能なジョイントが、スイベルジョイントあるいはロータリージョイントであることを特徴とする請求項１に記載の水洗トイレシステム。
【請求項３】
便鉢と基部の接続部分に設けられた便鉢回動手段がボールベアリング機構であることを特徴とする請求項１あるいは請求項２に記載の水洗トイレシステム。
【請求項４】
給水タンクがロータンクであり、内部が第１タンクと第２タンクの２部分に分割され、満水状態にて第１タンクの水位が第２タンクの水位より低くなるように構成されており、第１タンクの洗浄水を便鉢に給水する給水管が、便鉢が男子大便用及び女子大小便用の位置にある場合における便鉢の底部近傍に接続されて該接続部分から便鉢前方部壁部に設けられた空洞部に給水され給水された洗浄水が便鉢前方部のリム部に穿設された小孔から便鉢内壁に給水されるように構成され、第２タンクの洗浄水を便鉢に給水する給水管が、便鉢が男子大便用及び女子大小便用の位置にある場合における便鉢の後端部近傍に接続されて該接続部分から便鉢後方部壁部に設けられた空洞部に給水され給水された洗浄水の一部が便鉢後方の上部から中部に穿設された小孔及び便鉢後方部の空洞部下端部に設けられた小孔から便鉢内壁に給水されるように構成されていることを特徴とする請求項１あるいは請求項２あるいは請求項３に記載の水洗トイレシステム。
【請求項５】
便座がクランクを介して便器の基部の上部に連結されており、クランクのロッドが便器の基部の上部に対して回動可能であると同時に、便座がクランクのロッドに対して回動可能であることを特徴とする請求項１あるいは請求項２あるいは請求項３あるいは請求項４に記載の水洗トイレシステム。
【請求項６】
便座の略全体を蔽覆可能な便蓋を有し、該便蓋がクランクを介して便器の基部の上部に連結されており、クランクのロッドが便器の基部の上部に対して回動可能であると同時に、便蓋がクランクのロッドに対して回動可能であることを特徴とする請求項１あるいは請求項２あるいは請求項３あるいは請求項４あるいは請求項５に記載の水洗トイレシステム。
【発明の詳細な説明】
【技術分野】
【０００１】
本発明は、給水タンクと便器と便座とトラップのある排水部を有する水洗トイレシステムであって、便器部分が便鉢と基部の２部分よりなり、便鉢と基部の接続部分に便鉢回動手段が設けられ便鉢が基部に対して回動可能に構成されており、使用者が位置する側を前方とした場合に、男子大便用及び女子大小便用の位置にては便鉢が前方に延伸された形態となり、男子小便用の位置にては、便鉢が上方に延伸された形態となり、便鉢底部と排水部が水密且つ回動可能なジョイントにて接続されていることを特徴とする水洗トイレシステムに関するものである。
【背景技術】
【０００２】
従来の家庭用の水洗トイレシステムは、少なくとも給水タンクと便器と便座と排水部を有し、便器の形態は使用者が位置する側を前方とした場合に、便鉢が前方に延伸された所謂腰掛式便器、又は西洋式便器と呼ばれるものが通常に用いられ、男子大便及び女子大小便にては、使用者は便器の便鉢上に載置された便座に跨って用を足し、また男子小便の場合には、使用者は水洗トイレシステムに対面して立ち、便座を上方に回動起立させて便鉢を露出させて用を足すという形態をとるのが常であった。あるいは稀に和式便器を採用する家庭もあるが、その割合は、現在では非常に少ないものとなっている。
【０００３】
昔の家庭においては、トイレ内部に所謂大便器と小便器の双方を設置し、男子大便用及び女子大小便用には大便器を、男子小便用には小便器を用いるように設計された例も多かったが、住宅事情が厳しさを増してトイレ空間も狭小化を余儀なくされる現代においてはそのようなゆとりはないのが通常であり、所謂西洋式の大便器一つで男子大便用と女子大小便用、男子小便用を兼用せざるを得ないのが実情である。
【０００４】
このような家庭用の水洗トイレシステムにおいては、男子大便及び女子大小便の際には問題は生じないが、男子小便の際には、射出された小便が便鉢内部に完全に収容される場合は良いが、狙いがうまく定まらなかった場合には、便鉢の周囲のリム部分に衝突してこの部分を汚染し、さらに甚だしくは、リム部分に衝突した小便が跳ね返って便鉢をそれて周辺に飛び散ったり、最も極端な場合には、小便束自体が便鉢以外の場所に射出されてトイレ内部を甚だしく汚染するという事態もままあった。
【０００５】
特に、オムツが取れて間もない低年齢の男子の場合には、狙いを定める行為に慣れていないゆえに、小便を便鉢のリム部分に射出したり、さらには便鉢以外の所に漏らす事態まで頻繁に見られ、その都度母親あるいは父親がトイレ内部を清掃しなければならず、育児ストレスの一因ともなっていた。なお、上記にて、「便鉢」という言葉を用いているが、これは便器上部の、使用者の大小便が収容される椀状の部分を指している。これに対し、便器という言葉は、該便鉢と、床に固定される裾部分と、内部の排水部の全てを含んだ意味にて用い、通常は、便鉢と裾部と排水部が一体として便器を構成している。なお、給水タンクは通常は便器には含まれない独立した構成として扱われる。
【０００６】
スペースの狭小な家庭用水洗トイレシステムにおいて上記問題の解決を試みた発明、考案は多々見られるが、それらには、大別して２つの傾向性がある。その一つは、狭いスペースに大便器と小便器の２種類の便器をレイアウトしようとするものであり、いまひとつは、大便器だけを設置するが、さまざまな工夫をもって射出された小便が便鉢内部にのみ収容されるように試みるものである。
【０００７】
下記特許文献のうち、文献１と文献６は一つ目の傾向性、すなわち狭いスペースに大便器と小便器の２種類の便器をレイアウトしようとするものであり、文献２、４、５は二つ目の傾向性、すなわち大便器だけを設置するが、さまざまな工夫をもって射出された小便が便鉢内部にのみ収容されるように試みるものである。また、文献３は両者の中間的な性格を有する。
【０００８】
まず、下記特許文献１の「回転軸に排水路を有する回転型小便器格納ユニット」は、西洋式の大便器の上に男子小用専用の小便器を取り付け、この小便器を回動可能とすることにより、男子大便又は女子大小便の場合には小便器を水平に略９０°回動させて大便器を露出させるものである。
【０００９】
しかしながら、この方式にては、たとえ回動させたとしても、大便器使用の場合には明らかに小便器が邪魔になり、且つ又回動させた小便器を位置させる余分なスペースが必要となるので、家庭用の狭小なトイレ空間には明らかに不向きである。また、必然的に小便器の位置が高くならざるを得ず、成人男子には都合が良いが、低年齢の男子児童には実質的に使用不能である。
【００１０】
次に、下記特許文献２の「洋式トイレ」は、形状は全く通常の西洋式の大便器と異なるところはなく、ただ、男子小用時に便蓋と便座を後方に回動起立させた際に、便蓋と便座の裏面を覆う補助板も共に起立するようにして、便蓋と便座の裏面には小便がかからないように構成するものである。
【００１１】
このような補助板を設けることにより、確かに便蓋と便座の裏面は汚染から保護されるかもしれないが、しかし側方に反れる小便に対しては全く無防備である。また、男子大便及び女子大小便時に便座を下ろすと補助板が便器内部に収容される形態となり、男子の大便や女子の大小便が補助板に直接触れることとなって、この点は極めて不衛生的であり、且つ使用者に与える印象も非常に不快なものとならざるを得ない。
【００１２】
次に、下記特許文献３の「男性放尿用ガイド器具」も、下記特許文献２と同じく、通常の西洋式の大便器に、男子小用の際に機能させる付属品を装着させるものである。すなわち、便蓋裏に折畳み式の補助具を設け、男子小用の際には起立せる便蓋から該補助具を略水平に突出させ、先端のリング状部分に円錐形状のガイド筒を装着し、ガイド筒の上端拡径部を男性生殖器の先端部近傍に位置させて生殖器先端部から射出される小便をガイド筒内部に導き、ガイド筒の下端縮径部より大便器内部に垂下せしめんとする構成である。
【００１３】
しかしながら、この発明の場合には、非使用時に小便で汚染されたガイド筒をどのように収納するかが困難な問題として残る。明細書には使い捨てでも良い旨記載されているが、男子小用の度に使い捨てとするのは資源保護の観点からも非現実的であり、またガイド筒自体の寸法も３０ｃｍ前後にはなると考えられるところから、遺棄するための方法や遺棄場所も問題となる。特に、小便で汚染されているので、通常のゴミと同様の扱いもなし難い。
【００１４】
さらに、この発明においては、使用者の生殖器の先端部の位置の差によってガイド筒を多種類用意しなければならないという不便さがある。すなわち、男性生殖器の先端部から射出される小便を完全にガイド筒内に導くためには、男性生殖器の先端部とガイド筒の拡径部上端の位置関係が適合しておらねばならず、夫々の使用者の男性生殖器の先端部の位置にピタリと適合するガイド筒を用意しなければならない。
【００１５】
例えば、家族中の男性として、父親と中学生の長男と小学校低学年の次男がいる場合に、３人の男性の生殖器の先端部の位置の差を考えると、到底１種類のガイド筒を共用できるとは考えられない。したがって、３本のガイド筒の収納場所を考えねばならないし、使い捨ての場合にも、購入量も遺棄量も３倍になり、全く非現実的といわねばならない。
【００１６】
また、たとえ生殖器の先端部の位置に適合したガイド筒を用いるとしても、万一射出された小便がガイド筒の拡径上端部から逸れた場合、ガイド筒の辺縁部に衝突して跳ね返り、周囲を大幅に汚染するのみならず、使用者の身体までも汚染されることになりかねず、まことに重大な事態を招来する。特に、低年齢の児童などでは、ガイド筒の拡径上端部にきちんと狙いを定めて小便を射出することが確実にはでき難いと思われるので、この点からも余り現実的であるとは言い難い。
【００１７】
次に、下記特許文献４の「汚れにくい回転式兼用便器」は、西洋式の大便器の後方に回転軸を設け、便座と湾曲した小便用ガードフェンスを前後方向に対となるように装着し、男子大便時及び女子大小便時には便座を便器上部に位置させ、男子小便時には回転軸を中心にして１８０°回動させて小便用ガードフェンスを便器後部に立設させるものである。
【００１８】
しかしながら本発明においては、便器後方に広いスペースが必要であり、多くの家庭用の水洗トイレにおいては、便器後方にロータンクを位置させていることを考えると、通常の家庭用の水洗トイレシステムとしてはとても導入できないものである。また、小便に汚染された小便用ガードフェンスが常に露出されたままの状態であって、非常に不衛生的であり、且つ使用者の不快感も大きなものであると考えられる。
【００１９】
次に、下記特許文献５の「男子小便用補助具」は、下記特許文献２の「洋式トイレ」と同様の発想で、通常の西洋式の大便器を用い、男子小便時には便座と便蓋の裏面を保護する膜体が展開されて便座と便蓋の裏面が小便によって汚染されるのを防止するという構成となっている。即ち、下記特許文献２における板状の「補助具」を膜体に置換したものであると考えられる。
【００２０】
しかしながら、やはり下記特許文献２同様、側方への小便の飛散は防止できず、また、男子大便時及び女子大小便時には膜体が便器内部に収容される構造であるので、男子の大便や女子の大小便が膜体と接触することとなり、非常に非衛生的で、かつ使用者にも不快感を与えるものであることは否めない。
【００２１】
最後に、文献６の「用途切り替え複合型便器」は、水洗トイレシステム全体を載置可能な巨大な回転盤を用い、西洋式の大便器と、これに直角方向に配置された小便器を、回転盤を回転させることにより使用者に対して適切な位置となるように構成するものである。
【００２２】
しかしながら、この発明においては、西洋式の大便器と小便器とロータンクのすべてが載置できる回転盤が必要であり、これを実現するためには相当広いスペースが必要で、到底通常の家庭のトイレ空間に収容可能なものではない。また、回転盤に載置される西洋式の大便器と小便器とロータンクの合計重量は、ロータンク内の水も含めてかなりのものとなると考えられるので装置が大掛かりになり、この点からしても、家庭用の水洗トイレシステムとしては導入困難といわねばならない。
【特許文献１】特開平１０−２１９８００号公報
【特許文献２】特開２００１‐１４０３２８号公報
【特許文献３】特開２００１‐１６１７３４号公報
【特許文献４】特開２００２‐６１２６３号公報
【特許文献５】特開２００３‐７４１０６号公報
【特許文献６】特開２００４‐１５６４１０号公報
【発明の開示】
【発明が解決しようとする課題】
【００２３】
叙上より、本発明の解決すべき課題を以下のように設定した。
＜課題１＞
家庭用の水洗トイレシステムにおいて、独立した男子小便用の便器を設けることなく、通常の西洋式の大便器を用いて、しかも男子小便時の小便の便鉢外への飛散を防止し、小便が円滑に便器の便鉢内に収容できるようにする。
＜課題２＞
その際、ガイド板やガイド筒などの構成を付加することによって男子小便を便鉢内にガイドするという方法は採らない。
【００２４】
上記課題１は、あくまで家庭用の水洗トイレシステムとして適合する範囲にて課題を解決するという方向性を明確にするために設けられたものである。すなわち、上記特許文献１、６のように独立した男性用小便器を設ければ、飛散防止の目的はかなり解決される。つまり、男性用小便器は便鉢に男性生殖器を近接させて用いることができるように設計されている結果、飛散防止の目的が達成されるのである。しかし、上記特許文献１、６のような発明は、叙上のように通常の家庭のトイレスペースでは実現不可能なものであるし、また、男性用小便器の位置が高いので低年齢の児童には生殖器と便鉢の位置が遠くなり、飛散防止には役立たない。またシステム全体が大掛かりになるので、この点からも非現実的なものとならざるを得ない。
【００２５】
上記課題２は、ガイド板やガイド筒などの付属品を用いた場合、それらの付属品自体が小便で汚染されているので、非使用時の収納に困るという点から設けられたものである。現実に、このような付属品を用いて課題を解決した商品が市場に出回っていないという点から考えても、このような付属品を用いて小便の飛散防止を図るという発想は、特に商品としては可能性の薄いものであることは明らかであると考えられる。
【課題を解決するための手段】
【００２６】
本発明は、上記課題を解決するためになされたものであって、以下に示す解決手段を提供するものである。
＜解決手段１＞
給水タンクと便器と便座とトラップのある排水部を有する水洗トイレシステムであって、便器部分が便鉢と基部の２部分よりなり、便鉢と基部の接続部分に便鉢回動手段が設けられ便鉢が基部に対して回動可能に構成されており、使用者が位置する側を前方とした場合に、男子大便用及び女子大小便用の位置にては便鉢が前方に延伸された形態となり、男子小便用の位置にては、便鉢が上方に延伸された形態となり、便鉢底部と排水部が水密且つ回動可能なジョイントにて接続されていることを特徴とする水洗トイレシステム。
＜解決手段２＞
便鉢底部と排水部を接続する水密且つ回動可能なジョイントが、スイベルジョイントあるいはロータリージョイントであることを特徴とする解決手段１に記載の水洗トイレシステム。
＜解決手段３＞
便鉢と基部の接続部分に設けられた便鉢回動手段がボールベアリング機構であることを特徴とする解決手段１あるいは解決手段２に記載の水洗トイレシステム。
＜解決手段４＞
給水タンクがロータンクであり、内部が第１タンクと第２タンクの２部分に分割され、満水状態にて第１タンクの水位が第２タンクの水位より低くなるように構成されており、第１タンクの洗浄水を便鉢に給水する給水管が、便鉢が男子大便用及び女子大小便用の位置にある場合における便鉢の底部近傍に接続されて該接続部分から便鉢前方部壁部に設けられた空洞部に給水され給水された洗浄水が便鉢前方部のリム部に穿設された小孔から便鉢内壁に給水されるように構成され、第２タンクの洗浄水を便鉢に給水する給水管が、便鉢が男子大便用及び女子大小便用の位置にある場合における便鉢の後端部近傍に接続されて該接続部分から便鉢後方部壁部に設けられた空洞部に給水され給水された洗浄水の一部が便鉢後方の上部から中部に穿設された小孔及び便鉢後方部の空洞部下端部に設けられた小孔から便鉢内壁に給水されるように構成されていることを特徴とする解決手段１あるいは解決手段２あるいは解決手段３に記載の水洗トイレシステム。
＜解決手段５＞
便座がクランクを介して便器の基部の上部に連結されており、クランクのロッドが便器の基部の上部に対して回動可能であると同時に、便座がクランクのロッドに対して回動可能であることを特徴とする解決手段１あるいは解決手段２あるいは解決手段３あるいは解決手段４に記載の水洗トイレシステム。
＜解決手段６＞
便座の略全体を蔽覆可能な便蓋を有し、該便蓋がクランクを介して便器の基部の上部に連結されており、クランクのロッドが便器の基部の上部に対して回動可能であると同時に、便蓋がクランクのロッドに対して回動可能であることを特徴とする解決手段１あるいは解決手段２あるいは解決手段３あるいは解決手段４あるいは解決手段５に記載の水洗トイレシステム。
【発明の効果】
【００２７】
本発明の解決手段１の発明によれば、給水タンクと便器と便座とトラップのある排水部を有する水洗トイレシステムであって、便器部分が便鉢と基部の２部分よりなり、便鉢と基部の接続部分に便鉢回動手段が設けられ便鉢が基部に対して回動可能に構成されており、使用者が位置する側を前方とした場合に、男子大便用及び女子大小便用の位置にては便鉢が前方に延伸された形態となり、男子小便用の位置にては、便鉢が上方に延伸された形態となるので、男子大便用及び女子大小便用の位置にては通常の西洋式の大便器と同様の使い勝手で使用でき、また、男子小便用の位置にては男性用の小便器と同様の使い勝手で使用することが可能である。
【００２８】
すなわち、解決手段１の発明においては、通常の西洋式の大便器の便鉢の形状に着目し、この形状を適切な回動面を設けて１８０°回転することにより男性用の小便器と略同様の形状となることに想到したものである。具体的には、便器部分を便鉢と基部に分割し、水平線より３０°〜５０°の範囲で傾斜せる回動面によって便鉢を基部に対して１８０°回動させることにより、大便器と小便器の形状交替が可能であることを見出した。従って、これによって、独立した男子小便用の便器を設けることなく、１基の便器にて、通常の西洋式の大便器（腰掛式便器）と男子用小便器の両用を実現できることとなった。また、便鉢の形状と回動面の角度設定を工夫することにより、男子小便の際に便鉢の位置を低く設定できるので、低年齢の児童においても小便を便鉢内のみに射出することが容易に行える。
【００２９】
したがって、解決手段１の発明にては、独立した男子用小便器を設けていないため、必要なスペースは、通常の家庭用の水洗トイレシステムと何等変わりがなく、通常の家庭のトイレスペースに全く無理なく導入可能である。また、回転盤などの余分な構成も設けないため、全体が大掛かりになることがなく、外見も通常の西洋式の便器を用いた水洗トイレシステムと殆ど変わりがない。この点も、使用者が全く違和感なく使用できるという効果を齎す極めて重要な点である。
【００３０】
また、同じく解決手段１の発明によれば、便鉢下部と排水部が水密且つ回動可能なジョイントにて接続されているので、便鉢からの排水は円滑に排水孔に流入させることができる。
【００３１】
本発明の解決手段２の発明によれば、便鉢底部と排水部を接続する水密且つ回動可能なジョイントが、スイベルジョイントあるいはロータリージョイントであるので、便鉢と排水部が相対的に回動可能であり、且つ水密を保持して接続されるという点が、技術的に裏付けされており、実際の商品として充分に製作可能である。
【００３２】
本発明の解決手段３の発明によれば、便鉢と基部の接続部分に設けられた便鉢回動手段がボールベアリング機構であるので、便鉢と基部の相対的な回動が技術的に保証され、実際の商品として充分に製作可能である。
【００３３】
本発明の解決手段４の発明によれば、給水タンクがロータンクであり、内部が第１タンクと第２タンクの２部分に分割され、満水状態にて第１タンクの水位が第２タンクの水位より低くなるように構成されており、第１タンクの洗浄水を便鉢に給水する給水管が、便鉢が男子大便用及び女子大小便用の位置にある場合における便鉢の底部近傍に接続されて該接続部分から便鉢前方部壁部に設けられた空洞部に給水され給水された洗浄水が便鉢前方部のリム部に穿設された小孔から便鉢内壁に給水されるように構成され、第２タンクの洗浄水を便鉢に給水する給水管が、便鉢が男子大便用及び女子大小便用の位置にある場合における便鉢の後端部近傍に接続されて該接続部分から便鉢後方部壁部に設けられた空洞部に給水され給水された洗浄水の一部が便鉢後方の上部から中部に穿設された小孔及び便鉢後方部の空洞部下端部に設けられた小孔から便鉢内壁に給水されるように構成されているので、男子大便時及び女子大小便時には、第１タンクと第２タンクの双方から給水することにより、便鉢の内部を隈なく洗浄することが可能となる。
【００３４】
また、便鉢が男子小便用の位置にあるときは、水位の低い第１タンクの水だけを便鉢に給水するようにすれば、給水は便鉢後面の上部から下部にかけて行われるので、便鉢内部の汚染された部分を隈なく洗浄し、しかも節水が可能となる。なお、この際、第２タンクの水を同時に便鉢内部に給水するようにしても、何等不都合は生じない。
【００３５】
また、便鉢が男子小便用の位置にあり、第１タンクの洗浄水のみを給水する場合には、小孔からの給水は第１タンクの水位以下の小孔に限られるので、第１タンクの水位が下がるにつれ高い位置の小孔から順次給水が停止されていくこととなり、小便による汚染が便鉢後部の中程から下部にかけてが主体となることを考えると、余り汚染されない部分に対する洗浄は早めに停止され、汚染が集中する部分の洗浄は最後まで続行されることとなり、非常に合理的である。
【００３６】
また、便鉢が男子大便用及び女子大小便用の位置にある場合に、女子が小便を行った際には、やはり第１タンクの水を給水するのみで洗浄が可能であり、節水を行うことができる。
【００３７】
女子の小便の場合には、男子の小便とは逆で汚染が集中するのは便鉢の前方から中程であると考えられるが、便鉢が男子大便用及び女子大小便用の位置にある場合には、第１タンクからの給水は便鉢の中程から前方に穿設された小孔から供給されるので、汚染部分を集中的に洗浄できることとなり、非常に合理的である。
【００３８】
本発明の解決手段５及び解決手段６の発明によれば、便座がクランクを介して便器の基部の上部に連結されており、クランクのロッドが便器の基部の上部に対して回動可能であると同時に、便座がクランクのロッドに対して回動可能に設けられており、また、便蓋を有する場合には、便蓋がクランクを介して便器の基部の上部に連結されており、クランクのロッドが便器の基部の上部に対して回動可能であると同時に、便蓋がクランクのロッドに対して回動可能に設けられているので、便鉢が男子小便用の位置にある場合には便座と便蓋が有る場合には便蓋を共に回動起立させて便器後方に位置させ、便鉢が男子大便用及び女子大小便用の位置にある場合には、便座は便器上に水平に位置させ、便蓋が有る場合には便蓋のみを回動起立させて便器後方に位置させることが可能である。
【発明を実施するための最良の形態】
【００３９】
本発明を実施するための最良の形態を、以下に、図面を参照しながら詳細に説明する。
【実施例１】
【００４０】
＜実施例１の構成＞
図１〜図４は、実施例１の水洗トイレシステムＷにおいて、便鉢１１が男子大便用及び女子大小便用の位置にある場合を示す。図１は水洗トイレシステムＷの縦断面図、図２は平面図、図３は右側面図、図４は正面図である。また、図５〜図８は便鉢１１が男子小便用の位置にある場合を示す。図５は水洗トイレシステムＷの縦断面図、図６は平面図、図７は右側面図、図８は正面図である。
【００４１】
水洗トイレシステムＷは、図１〜図８に示すように、便器１、便座２、便蓋３、給水タンク４、排水部５から構成されている。便器１は、便鉢１１と基部１２から構成されており、便鉢１１と基部１２の接続部分にはボールベアリング機構６である便鉢回動手段が設けられ、便鉢１１は基部１２に対して回動可能に構成されている。また、便鉢１１下部と排水部５はスイベルジョイント７にて水密且つ回動可能に接続されている。なお、８は床面ＦＬに固定され図示しない排水管に接続されている排水ソケットである。
【００４２】
図１〜図４は、上記のように便鉢１１が男子大便用及び女子大小便用の位置にある場合を示しており、この状態にて便鉢１１は図１に示すように前方に延伸された形状であり、後端部が上方にやや突出している点を除けば、通常の西洋式の大便器（腰掛便器・図示せず）と略同様の形状となっている。この状態を、以下、平置位置と呼称する。
【００４３】
これに対し、図５〜図８は、やはり上記のように便鉢１１が男子小便用の位置にある場合を示しており、この状態にて便鉢１１は図５に示すように上方に延伸された形状であり、通常の男子用の小便器（図示せず）と略同様の形状となっている。この状態を、以下、起立位置と呼称する。
【００４４】
便鉢１１は、椀状の本体１１１、上端部に設けられたリム部１１２、そしてスイベルジョイント７が環装される底部１１３が一体として構成され、本体１１１の中間部分にはボールベアリング機構６の上部６１が設けられている。図１７ａ、図１７ｂに、便鉢１１の外観斜視図を示す。なお、図１７ａは便鉢１１が平置状態にある場合の外観斜視図であり、図１７ｂは便鉢１１が起立状態にある場合の外観斜視図である。
【００４５】
また、後述の給水タンク４の第１タンク４１からの給水管Ｑ１が、便鉢１１が平置位置にある場合に便鉢１１の底部１１３近傍に接続されて、接続部分Ｊ１から便鉢１１の前方部壁部に設けられた空洞部Ｓ１に給水され、給水された洗浄水が便鉢前方部のリム部１１２ａに穿設された複数の小孔ｈ1、ｈ１、…… から便鉢内部に給水されるように構成されている。
【００４６】
さらに、給水タンク４の第２タンク４２からの給水管Ｑ２が、便鉢１１が平置位置（図１参照）にある場合に便鉢１１の後端部近傍に接続されて、接続部分Ｊ２から便鉢１１の後方部壁部に設けられた空洞部Ｓ２に給水され、給水された水の一部が空洞部Ｓ２上部から中部のリム部１１２ｂに穿設された複数の小孔ｈ２、ｈ２、……及び空洞部Ｓ２下端の小孔ｈ３から便鉢１１内部に給水されるように構成されている。
【００４７】
図１６ａに、給水管Ｑ１と便鉢１１の本体１１１の接続部分Ｊ１の詳細を示す。接続部分Ｊ１にて、便鉢１１の本体１１１には凸部１１１ａが形成され、凸部１１１ａの中央には円孔１１１ｃが穿設されて本体１１１内部の空洞部Ｓ１と連通し、凸部１１１ａの端部はフランジ１１１ｂとなっている。
【００４８】
Ｎ１はニップルで、円孔１１１ｃに嵌着される胴部Ｎ１ａと外周に複数の段部を有する口部Ｎ１ｂから構成され、中央に円孔Ｎ１ｃが穿設されている。胴部Ｎ１ａと口部Ｎ１ｂの境界部分はフランジＮ１ｄとなり、フランジＮ１ｄの口部Ｎ１ｂ側には外周にネジ山を有するリング部Ｎ１ｅが突設され、口部Ｎ１ｂとリング部Ｎ１ｅの間には、円筒状の溝部Ｎ１ｆが形成されている。また、Ｎ１ｇは、内側にリング部Ｎ１ｅのネジ山と係合するネジ溝を有する締結リングである。
【００４９】
本体１１１の凸部１１１ａのフランジ１１１ｂとニップルＮ１のフランジＮ１ｄはパッキンＪＰ１を介して複数のボルトナットＢＮ、ＢＮ、……によって締結され、これによって、本体１１１の内部の空洞部Ｓ１とニップルＮ１は水密的に接続される。さらに、ニップルＮ１の溝部Ｎ１ｆには給水管Ｑ１の先端部Ｑ１ａが圧入され、締結リングＮ１ｇがリング部Ｎ１ｅに螺着されることにより、給水管Ｑ１の先端部Ｑ１ａは、ニップルＮ１に水密的に接続される。これにより、給水管Ｑ１はニップルＮ１を介して本体１１１の内部の空洞部Ｓ１と水密的に接続される。
【００５０】
図１６ｂに、給水管Ｑ２と便鉢１１の本体１１１の接続部分Ｊ２の詳細を示す。接続部分Ｊ２にて、便鉢１１の本体１１１には凸部１１１ｄが形成され、凸部１１１ｄの中央には円孔１１１ｆが穿設されて本体１１１内部の空洞部Ｓ２と連通し、凸部１１１ｄの端部はフランジ１１１ｅとなっている。
【００５１】
Ｎ２はニップルで、円孔１１１ｆに嵌着される胴部Ｎ２ａと外周に複数の段部を有する口部Ｎ２ｂから構成され、中央に円孔Ｎ２ｃが穿設されている。胴部Ｎ２ａと口部Ｎ２ｂの境界部分はフランジＮ２ｄとなり、フランジＮ２ｄの口部Ｎ２ｂ側には外周にネジ山を有するリング部Ｎ２ｅが突設され、口部Ｎ２ｂとリング部Ｎ２ｅの間には、円筒状の溝部Ｎ２ｆが形成されている。また、Ｎ２ｇは、内側にリング部Ｎ２ｅのネジ山と係合するネジ溝を有する締結リングである。
【００５２】
本体１１１の凸部１１１ｄのフランジ１１１ｅとニップルＮ２のフランジＮ２ｄはパッキンＪＰ２を介して複数のボルトナットＢＮ、ＢＮ、……によって締結され、これによって、本体１１１の内部の空洞部Ｓ２とニップルＮ２は水密的に接続される。さらに、ニップルＮ２の溝部Ｎ２ｆには給水管Ｑ２の先端部Ｑ２ａが圧入され、締結リングＮ２ｇがリング部Ｎ２ｅに螺着されることにより、給水管Ｑ２の先端部Ｑ２ａは、ニップルＮ２に水密的に接続される。これにより、給水管Ｑ２はニップルＮ２を介して本体１１１の内部の空洞部Ｓ２と水密的に接続される。
【００５３】
便鉢１１が平置位置（図１参照）にある場合に、便鉢１１の正面上部中央には、側面視が３角形状の補助板１１４が、便鉢１１と一体に突設されている。また、図１７ａに見るように、補助板１１４のやや下方には、円形の鉄板ｍ１が嵌めこまれた側面視が３角形状のストッパ１１５が便鉢１１と一体に突設され、さらに便鉢１１の後端部上部略中央には円形の鉄板ｍ２が嵌めこまれた側面視が３角形状のストッパ１１６が便鉢１１と一体に突設されている。
【００５４】
図４に見るように、補助板１１４は便鉢１１の中心線Ｃに重なって設けられているが、ストッパ１１５は中心線Ｃより距離ｄ１だけ右寄りに設けられている。距離ｄ１は図２に示す係止板１２２ｉ（後述）の厚さｄ２の半分である。また、ストッパ１１６も中心線Ｃより距離ｄ１だけ右寄りに設けられている。
【００５５】
便器１の基部１２は、ボールベアリング機構６が設けられる接続部１２１、給水タンク４が載置される台部１２２、床面ＦＬに固定される裾部１２３が一体として構成されており、その右側面は図３に、また外観は図１８に示すとおりである。
【００５６】
図１８にて、６２はボールベアリング機構６（図１参照）の下部、１２２ａは給水タンク４（図１参照）が載置固定される平面視略長方形状の凹部、１２２ｂは給水管Ｑ１の給水タンク４への接続部分Ｊ３が挿通される円孔１２２ｍが穿設された凸部、１２２ｃは給水管Ｑ２の給水タンク４への接続部分Ｊ４が挿通される円孔１２２ｎが穿設された凸部、１２２ｄ、１２２ｅは、給水タンク４をボルトナット（図示せず）で台部１２２に固定するための円孔である。
【００５７】
また、１２２ｆは台部１２２の正面に台部１２２と一体に設けられた段部であり、段部１２２ｆの右側面には後述の便座２及び便蓋３を取付けるための円孔１２２ｇが左側面には同じく便座２及び便蓋３を取付けるための円孔１２２ｈが、夫々穿設されている。また、段部１２２ｆの中央には、平面視が逆台形上の係止板１２２ｉが、段部１２２と一体に突設されており、係止板１２２ｉには円板状の永久磁石ｍ３が係止板１２２ｉの左右両側面に露出する状態で嵌着されている。
【００５８】
裾部１２３は、図１、図３、図４、図１８に見るように、底部がやや広がったスカート状となっており、下端部に設けられた段部１２３ａ、１２３ｂ、１２３ｃ（図１８参照）に夫々穿設された円孔１２ｈに図示しないボルトナットを挿通固定することにより、床面ＦＬ（図１参照）に基部１２全体を固定している。
【００５９】
排水部５は、図１に見るようにトラップＴＲを有する断面が略円形状の排水管であり、前端部５１はスイベルジョイント７によって便鉢１１の底部１１３に接続され、後端部５２は床面ＦＬに固定された排水ソケット８に差し込まれている。後端部５２と排水ソケット８の接続は公知技術であるので詳述は避ける。
【００６０】
便座２は、図８、図９、図１２に見るようにドーナツ状で、全体形状は便鉢１１のリム部１１２に添うように構成されている。通常の水洗トイレシステムの便座（図示せず）と略同様の形状であるが、便鉢１１が平置位置にて後部が隆起しているのに合わせて、便座２も平置位置の便鉢１１に載置された状態にてその後部が上方に反り上がった形状となっている（図３参照）。
【００６１】
便蓋３も、通常の水洗トイレシステムの便蓋（図示せず）と略同様の形状であるが（図２、図１０参照）、便座２の形状に添うように構成されているので、図３に見るように、平置位置の便鉢１１の便座２に載置された状態にてその後部が上方に反り上がった形状となっている。
【００６２】
便座２はクランク９Ａ，９Ｂを介して便器１の基部１２の上部の台部１２２に連結されており、クランク９Ａのロッド９７ａ、クランク９Ｂのロッド９７ｂが便器１の基部１２の上部の台部１２２に対して回動可能であると同時に、便座２がクランク９Ａのロッド９７ａ、クランク９Ｂのロッド９７ｂに対して回動可能となるように構成されている。
【００６３】
すなわち、図８、図１２、図１３に見るように、便器１の基部１２の正面上部に設けられた段部１２２ｆの右側面には枢軸９１が固着され、枢軸９１に対してロッド９７ａの一端が枢着され、ロッド９７ａの他端は便座２の右側面に固着された枢軸９３に枢着され、クランク９Ａが構成されている。また、段部１２２ｆの左側面には枢軸９２が固着され、枢軸９２に対してロッド９７ｂの一端が枢着され、ロッド９７ｂの他端は便座２の左側面に固着された枢軸９４に枢着され、クランク９Ｂが構成されている。
【００６４】
したがって、ロッド９７ａ、９７ｂは便器１の基部１２の正面上部に設けられた段部１２２ｆに対して回動可能であり、且つ又、ロッド９７ａ、９７ｂに対して便座２が回動可能に構成されている。
【００６５】
便蓋３はクランク９Ｃ，９Ｄを介して便器１の基部１２の上部の台部１２２に連結されており、クランク９Ｃのロッド９８ａ、クランク９Ｄのロッド９８ｂが便器１の基部１２の上部の台部１２２に対して回動可能であると同時に、便蓋３がクランク９Ｃのロッド９８ａ、クランク９Ｄのロッド９８ｂに対して回動可能となるように構成されている。
【００６６】
すなわち、図８、図１２、図１３に見るように、便器１の基部１２の正面上部に設けられた段部１２２ｆの右側面には枢軸９１が固着され、枢軸９１に対してロッド９８ａの一端が枢着され、ロッド９８ａの他端は便蓋３の右側面に固着された枢軸９５に枢着され、クランク９Ｃが構成されている。また、段部１２２ｆの左側面には枢軸９２が固着され、枢軸９２に対してロッド９８ｂの一端が枢着され、ロッド９８ｂの他端は便蓋３の左側面に固着された枢軸９６に枢着され、クランク９Ｄが構成されている。
【００６７】
したがって、ロッド９８ａ、９８ｂは便器１の基部１２の台部１２２の正面上部に設けられた段部１２２ｆに対して回動可能であり、且つ又、ロッド９８ａ、９８ｂに対して便蓋３が回動可能に構成されている。
【００６８】
図２４ｂに枢軸９１の構成を詳細に示す。図２４ｂに見るように、枢軸９１は、段部１２２ｆの右側面に穿設された円孔１２２ｇに挿通され両端をナット９１ｄ、９１ｅによって締結固着された軸９１ａに、ロッド９７ａ、９８ａの一端が回動自在に枢着されて構成されている。なお、９１ｂ、９１ｃは軸９１ａに固着されたスペーサリングである。枢軸９２については詳細な図示は省略するが、枢軸９１を左右対称とした構成となっている。
【００６９】
図２４ａに枢軸９３の構成を詳細に示す。図２４ａに見るように、枢軸９３は、一端を便座２の右側面に螺着され、他端をナット９３ｃによって締結固着された軸９３ａに、ロッド９７ａの他端が回動自在に枢着されて構成されている。なお、９３ｂは軸９３ａに固着されたスペーサリングである。枢軸９４については図示しないが、枢軸９３を左右対称とした構成となっている。また、枢軸９５は枢軸９３と略同様の構成であり、枢軸９６は枢軸９４と略同様の構成である。
【００７０】
ボールベアリング機構６は、便鉢１１の中央部分に設けられた円環状の上部６１と基部１２の接続部１２１に設けられた円環状の下部６２から構成されている。図１４ａ、図１４ｂに示すように、上部６１はボールベアリング機構６を蔽覆する庇部６１ａを有していて、ボールベアリング機構６内部に水等が入りにくい構成となっていると同時に、図１２、図１３に見るように、視覚的にもボールベアリング機構６が露出しないように構成されている。
【００７１】
図１及び図５に示すように、ボールベアリング機構６の回動面Ｒは側面視にて水平面Ｈより角度αの傾きをもっている。角度αは、実施例１の水洗トイレシステムにおいては３５°であるが、便鉢１１の形状や回動操作の行い易さから考えると、３０°〜５０°程度が適切であると考えられる。
【００７２】
ボールベアリング機構６の回動軸Ｘは、ボールベアリング機構６の中心を通過し、回動面Ｒに対して直交する（図１参照）。したがって、回動軸Ｘは、垂直線Ｖに対してやはり角度αをなして交わる。なお、回動軸Ｘは、後述のスイベルジョイント７の回動軸ともなっている。
【００７３】
スイベルジョイント７は、図１、図５に示すように、便鉢１１の底部１１３の下端部と排水部５の前端部５１を回動可能に接続している。詳細は図１５に示すとおりであり、パッキン７５を介して便鉢１１の底部１１３の下端部に固着された胴部７１とパッキン７６を介して排水部５の前端部５１に固着された軸部７２が、鋼球７３、７４によって回動自在に接続されている。なお、７７はＯリング、７８はダストシールである。
【００７４】
スイベルジョイント７の回動面ＲＪは、水平面Ｈに対して角度αだけ傾斜され、また回動軸Ｘは垂直線Ｖに対してやはり角度αをもって交わっている。なお、回動軸Ｘは、ボールベアリング機構６の回動軸Ｘと同一である。
【００７５】
給水タンク４はロータンクで、図１２、図１３に見るように、その本体４Ｂの形状は正面上部が斜向面４Ｂａとなった略直方体状であり上面は開放面となっていて、蓋４Ｌが嵌着され、蓋４Ｌの凹部４Ｌａには円孔４Ｌｂが穿設されている。また、蓋４Ｌの左端後部には、使用者の手洗い水を供給する手洗いノズル４Ｌｃが立設されている。
【００７６】
給水タンク４は、便器１の基部１２の台部１２２の上端に設けられた凹部１２２ａ（図１８参照）にパッキン４Ｐを介して嵌着され、図示しないボルトナットによって凹部１２２ａに固着される。また、図２に示す４Ｑは給水タンク４に洗浄水を供給する給水管で、コネクタ４Ｑｃによって給水管４Ｑａ、４Ｑｂに分岐されて給水タンク４の左側面に接続されている。また、給水タンク４の右側面上部には、レバー４Ｒが回動自在に突設されている。
【００７７】
給水タンク４の内部は、隔壁４３によって前方に位置する第１タンク４１と後方に位置する第２タンク４２の２部分に分割されているが、隔壁４３は給水タンク４の本体４Ｂの高さの３分の２程度の高さしかなく、給水タンク４の上部においては、第１タンク４１と第２タンク４２が連通させられている。
【００７８】
給水タンク４においては、満水状態にて第１タンク４１の水位が第２タンク４２の水位より低くなるように構成されている。すなわち、図１９に見るように、第１タンク４１に給水を行うボールタップ４１ａと浮き玉４１ｂが第２タンク４２に給水を行うボールタップ４２ａと浮き玉４２ｂより低い位置に設定されることによって、満水状態にて第１タンク４１の水位が第２タンク４２の水位より低くなるように構成されている。したがって、隔壁４３の上端位置は、第２タンクの満水時の水位と一致する。
【００７９】
なお、４４ａ、４４ｂ、４４ｄは手洗いノズルに水を供給する給水管である。給水管４４ａはボールタップ４１ａから分岐し、給水管４４ｂはボールタップ４２ａから分岐し、給水管４４ａ、４４ｂはコネクタ４４ｃによって連結され、コネクタ４４ｃから給水管４４ｄが手洗いノズル４Ｌｃに接続されている。また、ボールタップ４２ａは給水タンク４の外部の給水管４Ｑａ（図２参照）に、ボールタップ４２ａは給水管４Ｑｂに、夫々接続されている。
【００８０】
図２０ａ、図２０ｂに、給水タンク４の下部の構成を示す。図２０ａにて、４１ｃは第１タンク４１のオーバーフローパイプ、４１ｄはフロート弁、４１ｆはフロートパイプ、４１ｅはフロート弁４１ｄに下端を連結されたチェーン、図２０ｂにて、４２ｃは第２タンク４２のオーバーフローパイプ、４２ｄはフロート弁、４２ｆはフロートパイプ、４２ｅはフロート弁４２ｄに下端を連結されたチェーンである。これらの諸部材の構成は、従来の給水タンクにおける諸部材の構成と略同一であるので、詳細な説明は省略する。なお、チェーン４１ｅ、４２ｅは、図面上では描画の簡略化から緊張状態に描いてあるが、通常は周知のようにやや弛緩させた状態で接続される。
【００８１】
フロートパイプ４１ｆの下部は、便鉢１１に洗浄水を供給する給水管Ｑ１（図１参照）に接続される接続部Ｊ３となっている。図２０ａにて、４１ｇは第１タンク４１の底部に穿設された円孔、１２２ｊは便器１の基部１２の台部１２２（図１参照）の下面に穿設された凹部であり、１２２ｍは凹部１２２ｊ（あるいは凸部１２２ｂ）の中央に穿設された円孔である。円孔４１ｇと円孔１２２ｍは同寸且つ同位置に形成され、円孔４１ｇ、円孔１２２ｍ、凹部１２２ｊに接続部Ｊ３が挿通嵌着される。
【００８２】
フロートパイプ４１ｆの下端部は縮径部４１ｉとなり、縮径部４１ｉの中央には円孔４１ｌが穿設されてフロートパイプ４１ｆの上部と連通し、縮径部４１ｉの端部はフランジ４１ｋとなっている。また、縮径部４１ｉの上部にはパッキン４１ｈが環装され第１タンク４１の洗浄水の漏出を防止している。
【００８３】
Ｎ３はニップルで、円孔４１ｌに嵌着される胴部Ｎ３ａと外周に複数の段部を有する口部Ｎ３ｂから構成され、中央に円孔Ｎ３ｃが穿設されている。胴部Ｎ３ａと口部Ｎ３ｂの境界部分はフランジＮ３ｄとなり、フランジＮ３ｄの口部Ｎ３ｂ側には外周にネジ山を有するリング部Ｎ３ｅが突設され、口部Ｎ３ｂとリング部Ｎ３ｅの間には、円筒状の溝部Ｎ３ｆが形成されている。また、Ｎ３ｇは、内側にリング部Ｎ３ｅのネジ山と係合するネジ溝を有する締結リングである。
【００８４】
フロートパイプ４１ｆの縮径部４１ｉのフランジ４１ｋとニップルＮ３のフランジＮ３ｄはパッキン４１ｊを介して複数のボルトナットＢＮ、ＢＮ、……によって締結され、これによって、フロートパイプ４１ｆとニップルＮ３は水密的に接続される。さらに、ニップルＮ３の溝部Ｎ３ｆには給水管Ｑ１の先端部Ｑ１ｂが圧入され、締結リングＮ３ｇがリング部Ｎ３ｅに螺着されることにより、給水管Ｑ１の先端部Ｑ１ｂは、ニップルＮ３に水密的に接続される。これにより、給水管Ｑ１はニップルＮ３を介して第１タンク４１のフロートパイプ４１ｆと水密的に接続される。
【００８５】
フロートパイプ４２ｆの下部は、便鉢１１に洗浄水を供給する給水管Ｑ２（図１参照）に接続される接続部Ｊ４となっている。図２０ｂにて、４２ｇは第２タンク４２の底部に穿設された円孔、１２２ｋは便器１の基部１２の台部１２２（図１参照）に穿設された凹部であり、１２２ｎは凹部１２２ｋ（あるいは凸部１２２ｃ）の中央に穿設された円孔である。円孔４２ｇと円孔１２２ｎは同寸且つ同位置に形成され、円孔４２ｇ、円孔１２２ｎ、凹部１２２ｋに接続部Ｊ４が挿通嵌着される。
【００８６】
フロートパイプ４２ｆの下端部は縮径部４２ｉとなり、縮径部４２ｉの中央には円孔４２ｌが穿設されてフロートパイプ４２ｆの上部と連通し、縮径部４２ｉの端部はフランジ４２ｋとなっている。また、縮径部４２ｉの上部にはパッキン４２ｈが環装され第２タンク４２の洗浄水の漏出を防止している。
【００８７】
Ｎ４はニップルで、円孔４２ｌに嵌着される胴部Ｎ４ａと外周に複数の段部を有する口部Ｎ４ｂから構成され、中央に円孔Ｎ４ｃが穿設されている。胴部Ｎ４ａと口部Ｎ４ｂの境界部分はフランジＮ４ｄとなり、フランジＮ４ｄの口部Ｎ４ｂ側には外周にネジ山を有するリング部Ｎ４ｅが突設され、口部Ｎ４ｂとリング部Ｎ４ｅの間には、円筒状の溝部Ｎ４ｆが形成されている。また、Ｎ４ｇは、内側にリング部Ｎ４ｅのネジ山と係合するネジ溝を有する締結リングである。
【００８８】
フロートパイプ４２ｆの縮径部４２ｉのフランジ４２ｋとニップルＮ４のフランジＮ４ｄはパッキン４２ｊを介して複数のボルトナットＢＮ、ＢＮ、……によって締結され、これによって、フロートパイプ４２ｆとニップルＮ４は水密的に接続される。さらに、ニップルＮ４の溝部Ｎ４ｆには給水管Ｑ２の先端部Ｑ２ｂが圧入され、締結リングＮ４ｇがリング部Ｎ４ｅに螺着されることにより、給水管Ｑ２の先端部Ｑ２ｂは、ニップルＮ４に水密的に接続される。これにより、給水管Ｑ２はニップルＮ４を介して第２タンク４２のフロートパイプ４２ｆと水密的に接続される。
【００８９】
なお、給水効率を高めるために給水管Ｑ１、Ｑ２をさらに太いものとしたい場合には、ニップルＮ３、Ｎ４のかわりにスイベルジョイント（図示せず）を用い、給水管Ｑ１、Ｑ２をフレキシブルパイプ（図示せず）とすることによって対応できる。この場合、便鉢１１との接続部分Ｊ１、Ｊ２においても、やはりニップルＮ１、Ｎ２のかわりにスイベルジョイント（図示せず）を用いる必要がある。このようにすることにより、フロートパイプ４１ｆ、４２ｆを縮径せずに略そのままの径でフレキシブルパイプを用いた給水管に接続することができる。
【００９０】
図２１、図２２、図２３には、給水タンク４の上部の右側に設けられたレバー機構ＲＭの詳細を示す。４Ｒは給水タンク４の右側面に突設されたレバーであり、レバー４Ｒには軸４７が固着されている。給水タンク４の右側面の内壁には縦断面Ｌ字状の補助板４５が固着され、また、隔壁４３の補助板４５からやや離間された位置には略長方形状の補助板４６が固着されている。
【００９１】
軸４７は、給水タンク４の壁体４Ｂｂに嵌着された軸受け４７ａ、補助板４５の中央に嵌着された軸受け４７ｂ、補助板４６の中央に嵌着された軸受け４７ｃによって回動自在に支持されている。また、補助板４５の第１タンク４１寄りの部分には軸受け４８ａが嵌着され、補助板４６の第１タンク４１寄りの部分には軸受け４８ｂが嵌着され、軸受け４８ａ、４８ｂ間に軸４８が回動自在に渡設されている。さらに、補助板４５の第２タンク４２寄りの部分には軸受け４９ａが嵌着され、補助板４６の第２タンク４２寄りの部分には軸受け４９ｂが嵌着され、軸受け４９ａ、４９ｂ間に軸４９が回動自在に渡設されている。
【００９２】
軸４７、４８、４９は夫々同一の高さをもって並行するように構成されている。軸４７には歯車Ｇ１が固着され、軸４８には歯車Ｇ１の半分以下の径の歯車Ｇ２が固着され、軸４９にも歯車Ｇ１の半分以下の径の歯車Ｇ３が固着されている。歯車Ｇ２は歯車Ｇ１と、歯車Ｇ３は歯車Ｇ１と、夫々噛合されている。
【００９３】
軸４８の歯車Ｇ１の左方にはコマＴ１が固着されている。コマＴ１はリム部Ｔ１ａ、Ｔ１ｂ、Ｔ１ｃとリム部Ｔ１ａ、Ｔ１ｂの間に形成される胴部Ｔ１ｄ、リム部Ｔ１ｂ、Ｔ１ｃの間に形成される胴部Ｔ１ｅから構成されている。また、軸４９の歯車Ｇ３の左方にはコマＴ２が固着されている。コマＴ２はリム部Ｔ２ａ、Ｔ２ｂ、リム部Ｔ２ａ、Ｔ２ｂの間に形成される胴部Ｔ２ｃから構成されている。
【００９４】
コマＴ１の胴部Ｔ１ｄには、一端を胴部Ｔ１ｄのリム部Ｔ１ｂ近傍に固着された紐ＳＴ１が、軸４８の左方に向かって反時計回りに巻回されており、紐ＳＴ１の下端は軸４８のやや下部で円筒形状のバーＢＲの左端に固着されている。また、コマＴ１の胴部Ｔ１ｅには、一端を胴部Ｔ１ｅのリム部Ｔ１ｂ近傍に固着された紐ＳＴ２が、軸４８の右方に向かって時計回りに巻回されており、紐ＳＴ２の下端は軸４８のやや下部で円筒形状のバーＢＲの右端に固着されている。
【００９５】
バーＢＲは、レバー４Ｒがニュートラルの状態、すなわち、レバー４Ｒのハンドル４Ｒａが垂下された状態で水平状態となるように構成され、バーＢＲの下端中央には、下端をフロート弁４１ｄ（図２０ａ参照）に固着されたチェーン４１ｅの上端が固着されている。
【００９６】
コマＴ２の胴部Ｔ２ｃには、一端を胴部Ｔ２ｃのリム部Ｔ２ａ近傍に固着された紐ＳＴ３が、軸４９の右方に向かって時計回りに巻回されており、紐ＳＴ３の下端は軸４９のやや下部で、下端をフロート弁４２ｄ（図２０ｂ参照）に固着されたチェーン４２ｅの上端に固着されている。
【００９７】
＜実施例１の作用＞
実施例１の水洗トイレシステムＷにおいては、便鉢１１の回動により、便鉢１１の平置位置と起立位置が生じることは前述のとおりである。したがって、実施例１の水洗トイレシステムＷの作用に関しては、まず便鉢１１が平置位置の場合の作用について記述し、次に便鉢１１が起立位置の場合の作用について記述する。
【００９８】
便鉢１１が平置位置の場合は、図１〜図４、図９〜図１２に示すとおりであり、利用形態でいうなら、非使用時と、男子大便及び女子大小便に使用の場合となる。実施例１の水洗トイレシステムＷは、非使用時には、図１〜図４に示すように、便器１の便鉢１１上部に便座２と便蓋３が載置されている状態である。便蓋３によって便鉢１１は完全に掩蔽された状態にある。
【００９９】
この状態から、男子大便及び女子大小便に使用の場合、便蓋３を持上げて後方に跳ね上げ、便鉢１１上に便座２のみが載置された状態とする。便蓋３は、完全に後方に跳ね上げられると、図１０〜図１２に示す状態となる。この際、便蓋３は給水タンク４の蓋４Ｌの正面に支承される。給水タンク４の蓋４Ｌの正面の傾斜角度及び給水タンク４の斜向面４Ｂａの傾斜角度が略等しいので、便蓋３は給水タンク４の蓋４Ｌの正面に安定的に支承される。
【０１００】
なお、便蓋３を後方に跳ね上げる際には、図３に示すように、まず、便蓋３を略水平状態を保ちながら若干持上げ（方向Ａ１）、便蓋３の位置が便座２の後部の隆起部分及び便鉢１１の後部の隆起部分より高くなったところで便蓋３を枢軸９５、９６の周りにＢ１方向に回動させながら全体を後方に跳ね上げる（方向Ｃ１）。このようにすることにより、便蓋３が便座２の後部の隆起部分及び便鉢１１の後部の隆起部分に衝突するのを回避しつつ便蓋３を跳ね上げることができる。
【０１０１】
なお、便鉢１１の掃除などで便座２も後方に跳ね上げる必要が生じた際には、便蓋３を跳ね上げた際と同様の要領にて行う。すなわち、まず便座２を便鉢１１の後部の隆起部分より若干高くなるまで持上げ（方向Ａ１）、しかるのち便座２を枢軸９３、９４の周りにＢ２方向に回動させながら全体を後方に跳ね上げる（方向Ｃ１）。便座２は、便蓋３の裏面に、安定的に支承される。
【０１０２】
便蓋３を図１０〜図１２の状態に跳ね上げたら、通常の西洋式の水洗トイレシステムと同要領にて便座２上に腰かけて用を足す。この際、利用者の臀部（図示せず）背後に便座２及び便鉢１１の隆起部分が位置することになるが、側面視にて明らかなように（図１１参照）、利用者（図示せず）の臀部の曲率と便座２及び便鉢１１の隆起部分の曲率が略一致するように構成されているので利用には何等不便は生じず、むしろ臀部後部を便座２の隆起部分に凭せ掛けることもできるので、高齢者などには従来の西洋式の便器より楽であるといえる。
【０１０３】
利用が終了すれば、給水タンク４のレバー４Ｒを操作して給水タンク４内の洗浄水を便鉢１１内に流し、便鉢１１内の汚物（図示せず）を洗浄する。この際、女子小便の場合には、給水タンク４のレバー４Ｒのハンドル４Ｒａを手前側（図２１の方向Ｒ１）に回動させる。
【０１０４】
図２１にて、レバー４Ｒのハンドル４Ｒａが手前側（方向Ｒ１）に回動させられると、レバー４Ｒに固着された軸４７もＲ１方向に回動する。すると、軸４７に固着された歯車Ｇ１がＲ１方向に回動し、歯車Ｇ１に噛合された歯車Ｇ２及び歯車Ｇ３は逆のＲ２方向に回動する。この結果、歯車Ｇ２は軸４８に固着されているので軸４８はＲ２方向に回動し、歯車Ｇ３は軸４９に固着されているので軸４９もＲ２方向に回動する。
【０１０５】
軸４８がＲ２方向に回動すると、軸４８に固着されたコマＴ１もＲ２方向に回動する。その結果、コマＴ１の胴部Ｔ１ｄに巻回されている紐ＳＴ１は巻き上げられ、上方（方向β）に引き上げられる。一方、胴部Ｔ１ｅに巻回されている紐ＳＴ２は弛緩させられる。この結果として、紐ＳＴ１、ＳＴ２が固着されているバーＢＲは上方（方向β）に引き上げられる。
【０１０６】
すなわち、軸４８のＲ２方向への回動は、コマＴ１の紐ＳＴ１を介してバーＢＲを引き上げる作用を奏するが、紐ＳＴ２は弛緩させられるだけでバーＢＲを引き下げる作用は奏しないので、結果としてバーＢＲは引き上げられ、バーＢＲに固着されたチェーン４１ｅも引き上げられる（方向β）。なお、歯車Ｇ２は歯車Ｇ１の半分以下の径であるので、レバー４Ｒのハンドル４Ｒａを略９０°回動させるだけでも軸４８の回転量は大となり、チェーン４１ｅの移動量も大となる。また、図示は省略するが、ハンドル４Ｒａの回転が略９０°以上にならないようにストッパを設ける。
【０１０７】
レバー４Ｒのハンドル４ＲａがＲ１方向に回動すると、軸４８がＲ２方向に回動すると同時に軸４９もＲ２方向に回動することは前述のとおりである。軸４９がＲ２方向に回動すると、軸４９に固着されたコマＴ２もＲ２方向に回動する。その結果、コマＴ２の胴部Ｔ２ｃに巻回されている紐ＳＴ３は弛緩させられる。紐ＳＴ３の弛緩により、紐ＳＴ３に固着されたチェーン４２ｅも弛緩させられる。
【０１０８】
したがって、ハンドル４ＲａのＲ１方向への回動は、結果としてチェーン４１ｅを引き上げ、且つチェーン４２ｅを弛緩させる。チェーン４１ｅが引き上げられると、図２０ａに示すようにチェーン４１ｅの下端は第１タンク４１内にてフロート弁４１ｄに固着されているので、フロート弁４１ｄを引き上げる。すると、フロート弁４１ｄによって栓をされていた状態のフロートパイプ４１ｆの上端が開口され、第１タンク４１内の洗浄水が、フロートパイプ４１ｆからニップルＮ１を経過して給水管Ｑ１に供給される。一方、第２タンク４２のフロート弁４２ｆは、チェーン４２ｅが弛緩された状態となるので開かず、第２タンク４２内の洗浄水は給水管Ｑ２には供給されない。
【０１０９】
給水管Ｑ１を通じて給水された洗浄水は、接続部分Ｊ１を通じて便鉢１１の空洞部Ｓ１に供給され（図１参照）、リム部１１２ａに穿設された複数の小孔ｈ１、ｈ１、……から噴出して便鉢１１の主として前部から中央部を洗浄する。女子小便の場合には、汚染されるのは便鉢１１の中央部から前部にかけてであるので、便鉢１１の後部の洗浄は必要がない。また、この際、洗浄水が噴出される孔ｈ１、ｈ１、……は給水タンク４の第１タンク４１の底面より低い位置にあるので、第１タンク４１に貯留されていた洗浄水はすべてが便鉢１１内部に供給される。
【０１１０】
便鉢１１の中央部から前部を洗浄した洗浄水は便鉢１１の底部１１３に溜まり、便鉢１１の水位が上昇し、サイフォン現象によって便鉢１１内の洗浄水はトラップＴＲを通過して排水部５を一気に流下し、排水ソケット８を介して図示しない排水管に排水される。
【０１１１】
一方、給水タンク４内部にては、貯留されていた洗浄水が給水されることによって第１タンク４１の浮き玉４１ｂ（図１９参照）が下降し、ボールタップ４１ａが開口して給水管４Ｑａからボールタップ４１ａを通じて第１タンク４１内に新たな洗浄水が供給される。供給された洗浄水の一部は給水管４４ａ、コネクタ４４ｃ、給水管４４ｄを通じて手洗いノズル４Ｌｃに供給され、手洗いノズル４Ｌｃの端部から給水タンク４の蓋４Ｌの上面に形成された凹部４Ｌａに射出される。
【０１１２】
凹部４Ｌａにて受けられた洗浄水は円孔４Ｌｂを通じて給水タンク４内に供給される。円孔４Ｌｂより落下する洗浄水は、第２タンク４２にまず落下するが、第２タンク４２は満水状態であるので、隔壁４３を越えて第１タンク４１に供給される。このようにして、すべての洗浄水は第１タンク４１に供給される。
【０１１３】
第１タンク４１にては、フロート弁４１ｄが再び閉じてフロートパイプ４１ｆを閉鎖するので、供給された洗浄水は第１タンク４１内に貯留され、浮き玉４１ｂを浮上させる。浮き玉４１ｂが略水平状態となると、ボールタップ４１ａが閉鎖され、洗浄水の供給は停止される。万一、洗浄水の供給が停止されない場合には、余分の洗浄水はオーバーフローパイプ４１ｃを通じてフロートパイプ４１ｆに供給され、給水管Ｑ１を通じて便鉢１１に導かれる。上記の作用は、従来の水洗トイレシステムの給水タンクの構成と全く同一であるので、詳細な説明は省略する。
【０１１４】
次に、女子大便及び男子大便の場合には、使用後給水タンク４のレバー４Ｒのハンドル４Ｒａを後方、すなわちＲ２方向に回動させる（図２１参照）。すると、軸４７はＲ２方向に回動し、歯車Ｇ１、Ｇ２、Ｇ３の作用により、軸４８、４９はＲ１方向に回動する。その結果、コマＴ１、Ｔ２もＲ１方向に回動し、コマＴ１の紐ＳＴ２とコマＴ２の紐ＳＴ３は引き上げらる（方向β）。一方、コマＴ１の紐ＳＴ１は弛緩させられる。
【０１１５】
その結果、チェーン４１ｅ、４２ｅは共に引き上げられ（方向β）、チェーン４１ｅに固着されたフロート弁４１ｄ、チェーン４２ｅに固着されたフロート弁４２ｄは共に開かれる。フロート弁４１ｄが開かれると第１タンク４１に貯留されていた洗浄水は給水管Ｑ１を通じて便鉢１１のリム部１１２ａに穿設されている複数の小孔ｈ１、ｈ１……から便鉢１１内に射出され、便鉢１１の中央部から前部を洗浄する。
【０１１６】
また、フロート弁４２ｄが開かれると第２タンク４２に貯留されていた洗浄水は給水管Ｑ２を通じて便鉢１１のリム部１１２ｂに穿設されている複数の小孔ｈ２、ｈ２……及び空洞部Ｓ２下端の小孔ｈ３にから便鉢１１内に射出され、便鉢１１の中央部から後部を洗浄する。女子においても男子においても、大便の場合には便鉢１１の全体が汚染される可能性があるので、このように第１タンク４１の洗浄水と第２タンク４２の洗浄水の全てを便鉢１１内部に放出して、便鉢１１全体を隈なく洗浄する。
【０１１７】
なお、小孔ｈ１、ｈ１……が第１タンク４１の底面より下に位置することは前述のとおりであるが、便鉢１１が平置位置にては、小孔ｈ２、ｈ２……及び小孔ｈ３も第２タンク４１の底面より下に位置するので、第１タンク４１の洗浄水も第２タンク４２の洗浄水もすべて便鉢１１に供給される。
【０１１８】
このようにして第１タンク４１と第２タンク４２の洗浄水が便鉢１１に供給されると便鉢１１の水位が上昇し、サイフォン現象によって便鉢１１内の汚物を含有した洗浄水は一気に排水部５から排水ソケット８に排水される。
【０１１９】
一方、給水タンク内にては、第１タンク４１にても第２タンク４２にても、水位の低下に従って浮き玉４１ｃ、４２ｃが下降し、ボールタップ４１ａ、４２ａが開いて給水管４Ｑａ、４Ｑｂから新たな洗浄水が第１タンク４１、第２タンク４２内に供給される。
【０１２０】
ボールタップ４１ａ、４２ａから供給される洗浄水の一部は給水管４４ａ、４４ｂ、コネクタ４４ｃ、給水管４４ｄを通じて手洗いノズル４Ｌｃに供給され、円孔４Ｌｂから給水タンク４内に還元される。円孔４Ｌｂから落下する洗浄水は、当初は給水タンク４２のみに供給されるが、給水タンク４２が満水状態となり給水タンク４１が満水状態になっていない場合には隔壁４３を越えて給水タンク４１に供給される。
【０１２１】
次に、実施例１の水洗トイレシステムＷを男子小便に用いる場合を述べる。この場合、当初の状態が図１〜図４に示す便蓋３、便座２が共に便鉢１１上に載置された状態（水平状態）であるとすると、まず便蓋３を持ち上げて後方に跳ね上げて給水タンク４の正面に凭せ掛け、次に便座２を後方に跳ね上げて便座２の裏面に凭せ掛ける（起立状態）。この方法は前述のとおりである。
【０１２２】
このようにすると、図９に示す状態となるので、次に、便鉢１１を使用者から見て時計回りに略１８０°回動させる。図１〜図４及び図９において、便鉢１１の正面には、側面視が三角形状の補助板１１４が突設されているので、補助板１１４を把持して回動操作を行う。これにより、便鉢１１そのものに触れることなく回動操作が行えるので、極めて衛生的である。
【０１２３】
便鉢１１は、回動軸Ｘを中心として、回動面Ｒに添って略１８０°回動され、図５〜図８及び図１３に示す起立位置となる。この起立位置にて、便鉢１１に突設されている側面視が略三角形状のストッパ１１５が便器１の基部１２の台部１２２の正面に突設されている係止板１２２ｉに当接して、回動操作は停止される（図６、図８参照）。係止板１２２ｉに嵌着されている永久磁石ｍ３とストッパ１１５に嵌着されている鉄板ｍ１が当接する結果、起立位置は安定的に保持される。
【０１２４】
なお、図１〜図４に示す平置位置にては、便鉢１１に突設されている側面視が略三角形状のストッパ１１６と係止板１２２ｉが当接し、係止板１２２ｉに嵌着されている永久磁石ｍ３とストッパ１１６に嵌着されている鉄板ｍ２が当接しているので、この平置位置も安定的に保持される。永久磁石ｍ３の吸引力は、子供でも安定状態を解除して便鉢１１の回動操作を行える程度のものとする。
【０１２５】
便鉢１１が起立位置となれば、使用者は立位で便鉢１１と対面して用を足す。この際、回動面Ｒと水平面Ｈのなす角度αを適切に採ることにより（実施例１にては３５°であるが３０°〜５０°）、図５〜図８、特に図７に示すように、便鉢１１の前方に突出された部分の位置が低くなるので、生殖器の位置が大人より低い低年齢の男子にても小便を便鉢１１内に射出するのはごく容易であり、飛沫にて周囲が汚染される可能性も極めて低くなる。
【０１２６】
用便が終了すれば、給水タンク４の右側面のレバー４Ｒのハンドル４Ｒａを手前、すなわちＲ１方向に回動させる（図２１参照）。これにより、軸４７がＲ１方向に回動する結果、紐ＳＴ１が引き上げられて（方向β）、チェーン４１ｅが引き上げられる。前述のようにチェーン４２ｅは弛緩されるので、結果として第１タンク４１のフロート弁４１ｄのみが開かれ、第１タンク４１の洗浄水のみが給水管Ｑ１を通じて便鉢１１に供給される。
【０１２７】
この際、便鉢１１は図５に見るように起立位置にあるので、給水管Ｑ１から供給される洗浄水は、接続部Ｊ１、空洞部Ｓ１を通過して、便鉢１１のリム部１１２ａに穿設されている複数の小孔ｈ１、ｈ１、……から射出され、便鉢１１の起立部分、すなわち中央部から後部を洗浄する。男子小便の場合、便鉢１１が起立位置で汚染されるのは便鉢１１の中央部から後部であるので、より少ない洗浄水にて確実に汚染を洗浄できる。
【０１２８】
なお、使用中に、便鉢１１の前部が汚染された場合には、給水タンク４のハンドル４Ｒａを後方、すなわち図２１のＲ２方向に回動させれば、第２タンク４２の洗浄水が給水管Ｑ２を通じて便鉢前部の小孔ｈ２、ｈ２、……及びｈ３から射出され、便鉢１１の前部も洗浄される。
【０１２９】
また、男子小用の場合、便鉢１１の起立部分にては、より高い位置が汚染されることは少なく、中央から下部にかけての汚染が甚だしい。しかるに、小孔ｈ１、ｈ１、……の高さと給水タンク４の第１タンク４１の水位を比較してみると（図１９参照）、最も高い位置の小孔ｈ１は第１タンク４１の満水位より若干高いので、最も高い位置の小孔ｈ１からは洗浄水の射出は行われず、洗浄水は最も高い位置の小孔ｈ１より低い小孔ｈ１、ｈ１、……から射出されるが、第１タンク４１の水位が減少するにつれてより高い位置の小孔ｈ１から順次洗浄水の射出が停止され、最後には中央から下位の小孔ｈ１、ｈ１、……からの射出のみとなるが、この構成も、便鉢１１の男子小便による汚染分布に添った合理的なものである。
【０１３０】
なお、便鉢１１が起立位置においても、リム部１１２ａの高さは排水部５のトラップＴＲの頂部より高い位置にくるように構成してあるので（図５参照）、便鉢１１内部に供給された洗浄水がリム部１１２ｂを越える前にサイフォン現象が生じて便鉢１１内部の洗浄水は排水部５に吸い込まれる。したがって、給水タンクのレバー４Ｒａを後方（Ｒ２方向）に回動させて第１タンク４１と第２タンク４２の洗浄水をすべて便鉢１１内に供給した場合にても、洗浄水が便鉢１１の外部に溢れる心配はない。
【０１３１】
このようにして男子小用が終わり、便鉢１１内部の洗浄も終了すれば、補助板１１４を把持して便鉢１１を略１８０°反時計回りに回動させ、便鉢１１を平置位置に戻す。この際、補助板１１４は、起立位置にては便鉢１１の後方となるので、子供などで手が届きにくい場合には、この状態で前方に位置しているストッパ１１６を把持して回動させても良い。
【０１３２】
便鉢１１の回動が終了して便鉢１１が平置位置に戻れば、便座２、便蓋３の順に回動させ、便座２を便鉢１１のリム部１１２上に載置させ、さらに便蓋３を便座２上に載置させる。このようにすることにより、図１〜図４に示す非使用時の状態が回復される。
【産業上の利用可能性】
【０１３３】
本発明の水洗トイレシステムは、叙上のように、家庭用の水洗トイレシステムにおいて、特に男子小便の場合に便器の周囲や便座、便蓋の裏面、トイレの床面などが汚染される状態を防止せんとしてなされたものであるが、叙上のように全体は非常にコンパクトで従来の家庭用の水洗トイレシステムとサイズや外観等が殆ど変わらず、非常に使用勝手の良いものである。また、余分な付属品が一切なく、極めて衛生的であり、使用時の不快感も生じない。
【０１３４】
本発明の水洗トイレシステムは、従来の家庭用のトイレスペースと既存の排水ソケット及び給水設備があれば簡単に取り付け可能であって、大掛かりなトイレスペースの改造や新たな設備の導入を一切必要としない。したがって、従来の水洗トイレシステムを設置するのと同様の簡単な工事にてどのような家庭においても導入できるものである。
【０１３５】
特に、小便時に生殖器の制御がままならない低年齢の男子児童がいる家庭においては、これまで重労働であった小便飛沫の清拭から解放されるので、両親、とくに母親の育児ストレスは大幅に軽減されると予想される。小子化が問題となっている昨今、特に男子児童の育児ストレスを大幅に軽減できる本発明の水洗トイレシステムは、産業上も大きな利用可能性を齎すものであるといえる。
【０１３６】
なお、上記実施例にては、便鉢の回動を手動にて行う構成を提供しているが、便鉢の回動は、モータを用いた電動、あるいは油圧等、様々な手段を用いることが考えられる。便鉢を回動させる駆動手段としていかなる手段を用いても、それらはすべて本発明に包含されるのは、当然のことである。また、便鉢の回動を発生させる起動機構として、指で押すボタンスイッチや足踏み式のペダル等、多用な構成が考え得るが、むろんそれらもすべて本発明の範囲内に含まれるものである。
【図面の簡単な説明】
【０１３７】
【図１】本発明の実施例１の水洗トイレシステムの便鉢を平置位置とし便座と便蓋を水平状態とした場合の右側面から見た縦断面図である。
【図２】本発明の実施例１の水洗トイレシステムの便鉢を平置位置とし便座と便蓋を水平状態とした場合の平面図である。
【図３】本発明の実施例１の水洗トイレシステムの便鉢を平置位置とし便座と便蓋を水平状態とした場合の右側面図である。
【図４】本発明の実施例１の水洗トイレシステムの便鉢を平置位置とし便座と便蓋を水平状態とした場合の正面図である。
【図５】本発明の実施例１の水洗トイレシステムの便鉢を起立位置とし便座と便蓋を起立位置とした場合の右側面から見た縦断面図である。
【図６】本発明の実施例１の水洗トイレシステムの便鉢を起立位置とし便座と便蓋を起立状態とした場合の平面図である。
【図７】本発明の実施例１の水洗トイレシステムの便鉢を起立位置とし便座と便蓋を起立状態とした場合の右側面図である。
【図８】本発明の実施例１の水洗トイレシステムの便鉢を起立位置とし便座と便蓋を起立状態とした場合の正面図である。
【図９】本発明の実施例１の水洗トイレシステムの便鉢を平置位置とし便座と便蓋を起立状態とした場合の正面図である。
【図１０】本発明の実施例１の水洗トイレシステムの便鉢を平置位置とし便座を水平状態とし便蓋を起立状態とした場合の正面図である。
【図１１】本発明の実施例１の水洗トイレシステムの便鉢を平置位置とし便座を水平状態とし便蓋を起立状態とした場合の右側面図である。
【図１２】本発明の実施例１の水洗トイレシステムの便鉢を平置位置とし便座を水平状態とし便蓋を起立状態とした場合の一部を切欠した外観斜視図である。
【図１３】本発明の実施例１の水洗トイレシステムの便鉢を起立位置とし便座と便蓋を起立状態とした場合の外観斜視図である。
【図１４】（ａ）本発明の実施例１の水洗トイレシステムのボールベアリング機構の詳細を説明するための縦断面説明図である。    （ｂ）本発明の実施例１の水洗トイレシステムのボールベアリング機構の詳細を説明するための縦断面説明図である。
【図１５】本発明の実施例１の水洗トイレシステムの便鉢底部と排水部を接続するスイベルジョイントの詳細を説明するための一部を切欠した縦断面説明図である。
【図１６】（ａ）本発明の実施例１の水洗トイレシステムの便鉢と給水管の接続部分の詳細を説明するための縦断面説明図である。    （ｂ）本発明の実施例１の水洗トイレシステムの便鉢と他の給水管の接続部分の詳細を説明するための縦断面説明図である。
【図１７】（ａ）本発明の実施例１の水洗トイレシステムの平置位置の便鉢の外観斜視図である。    （ｂ）本発明の実施例１の水洗トイレシステムの起立位置の便鉢の外観斜視図である。
【図１８】本発明の実施例１の水洗トイレシステムの便器の基部の外観斜視図である。
【図１９】本発明の実施例１の水洗トイレシステムの給水タンクの詳細を説明する縦断面説明図である。
【図２０】（ａ）本発明の実施例１の水洗トイレシステムの給水タンクの第１タンクと給水管の接続部分の詳細を説明する縦断面説明図である。    （ｂ）本発明の実施例１の水洗トイレシステムの給水タンクの第２タンクと給水管の接続部分の詳細を説明する縦断面説明図である。
【図２１】給水タンクのレバー機構の作用を説明する説明図である。
【図２２】給水タンクのレバー機構の作用を説明する説明図である。
【図２３】給水タンクのレバー機構の作用を説明する説明図である。
【図２４】（ａ）本発明の実施例１の水洗トイレシステムの便座と便器の基部の段部を接続するクランクロッドシステムにおける便座に固着された軸の構成の詳細を説明する説明図である。    （ｂ）本発明の実施例１の水洗トイレシステムの便座と便器の基部の段部を接続するクランクロッドシステムにおける段部に固着された軸の構成の詳細を説明する説明図である。
【符号の説明】
【０１３８】
１        便器
１１      便鉢
１１１    本体
１１１ａ  凸部
１１１ｂ  フランジ
１１１ｃ  円孔
１１１ｄ  凸部
１１１ｅ  フランジ
１１１ｆ  円孔
１１２    リム部
１１２ａ  リム部
１１２ｂ  リム部
１１３    底部
１１４    補助板
１１５    ストッパ
１１６    ストッパ
１２      基部
１２ｈ    円孔
１２１    接続部
１２２    台部
１２２ａ  凹部
１２２ｂ  凸部
１２２ｃ  凸部
１２２ｄ  円孔
１２２ｅ  円孔
１２２ｆ  段部
１２２ｇ  円孔
１２２ｈ  円孔
１２２ｉ  係止板
１２２ｊ  凹部
１２２ｋ  凹部
１２２ｍ  円孔
１２２ｎ  円孔
１２３    裾部
１２３ａ  段部
１２３ｂ  段部
１２３ｃ  段部
２        便座
３        便蓋
４        給水タンク
４１      第１タンク
４１ａ    ボールタップ
４１ｂ    浮き玉
４１ｃ    オーバーフローパイプ
４１ｄ    フロート弁
４１ｅ    チェーン
４１ｆ    フロートパイプ
４１ｇ    円孔
４１ｈ    パッキン
４１ｉ    縮径部
４１ｊ    パッキン
４１ｋ    フランジ
４１ｌ    円孔
４２      第２タンク
４２ａ    ボールタップ
４２ｂ    浮き玉
４２ｃ    オーバーフローパイプ
４２ｄ    フロート弁
４２ｅ    チェーン
４２ｆ    フロートパイプ
４２ｇ    円孔
４２ｈ    パッキン
４２ｉ    縮径部
４２ｊ    パッキン
４２ｋ    フランジ
４２ｌ    円孔
４３      隔壁
４４ａ    給水管
４４ｂ    給水管
４４ｃ    コネクタ
４４ｄ    給水管
４５      補助板
４６      軸
４７      軸
４７ａ    軸受け
４７ｂ    軸受け
４７ｃ    軸受け
４８      軸
４８ａ    軸受け
４８ｂ    軸受け
４９      軸
４９ａ    軸受け
４９ｂ    軸受け
４Ｂ      本体
４Ｂａ    斜向面
４Ｂｂ    壁体
４Ｌ      蓋
４Ｌａ    凹部
４Ｌｂ    円孔
４Ｌｃ    手洗いノズル
４Ｐ      パッキン
４Ｑ      給水管
４Ｑａ    給水管
４Ｑｂ    給水管
４Ｑｃ    コネクタ
４Ｒ      レバー
４Ｒａ    ハンドル
５        排水部
５１      前端部
５２      後端部
６        ボールベアリング機構
６１      上部
６１ａ    庇部
６２      下部
７        スイベルジョイント
７１      胴部
７２      軸部
７３      鋼球
７４      鋼球
７５      パッキン
７６      パッキン
７７      Ｏリング
７８      ダストシール
８        排水ソケット
９１      枢軸
９１ａ    軸
９１ｂ    スペーサリング
９１ｃ    スペーサリング
９１ｄ    ナット
９１ｅ    ナット
９２      枢軸
９３      枢軸
９３ａ    軸
９３ｂ    スペーサリング
９３ｃ    ナット
９４      枢軸
９５      枢軸
９６      枢軸
９７ａ    ロッド
９７ｂ    ロッド
９８ａ    ロッド
９８ｂ    ロッド
９Ａ      クランク
９Ｂ      クランク
９Ｃ      クランク
９Ｄ      クランク
Ａ１      方向
Ｂ１      方向
ＢＮ      ボルトナット
ＢＲ      バー
Ｃ        中心線
Ｃ１      方向
ＦＬ      床面
Ｇ１      歯車
Ｇ２      歯車
Ｇ３      歯車
Ｊ１      接続部分
Ｊ２      接続部分
Ｊ３      接続部分
Ｊ４      接続部分
ＪＰ１    パッキン
ＪＰ２    パッキン
Ｈ        水平面
Ｎ１      ニップル
Ｎ１ａ    胴部
Ｎ１ｂ    口部
Ｎ１ｃ    円孔
Ｎ１ｄ    フランジ
Ｎ１ｅ    リング部
Ｎ１ｆ    溝部
Ｎ１ｇ    締結リング
Ｎ２      ニップル
Ｎ２ａ    胴部
Ｎ２ｂ    口部
Ｎ２ｃ    円孔
Ｎ２ｄ    フランジ
Ｎ２ｅ    リング部
Ｎ２ｆ    溝部
Ｎ２ｇ    締結リング
Ｎ３      ニップル
Ｎ３ａ    胴部
Ｎ３ｂ    口部
Ｎ３ｃ    円孔
Ｎ３ｄ    フランジ
Ｎ３ｅ    リング部
Ｎ３ｆ    溝部
Ｎ３ｇ    締結リング
Ｎ４      ニップル
Ｎ４ａ    胴部
Ｎ４ｂ    口部
Ｎ４ｃ    円孔
Ｎ４ｄ    フランジ
Ｎ４ｅ    リング部
Ｎ４ｆ    溝部
Ｎ４ｇ    締結リング
Ｑ１      給水管
Ｑ１ａ    先端部
Ｑ１ｂ    先端部
Ｑ２      給水管
Ｑ２ａ    先端部
Ｑ２ｂ    先端部
Ｒ        回動面
Ｒ１      方向
Ｒ２      方向
ＲＪ      回動面
ＲＭ      レバー機構
Ｓ１      空洞部
Ｓ２      空洞部
ＳＴ１    紐
ＳＴ２    紐
ＳＴ３    紐
Ｔ１      コマ
Ｔ１ａ    リム部
Ｔ１ｂ    リム部
Ｔ１ｃ    リム部
Ｔ１ｄ    胴部
Ｔ１ｅ    胴部
Ｔ２      コマ
Ｔ２ａ    リム部
Ｔ２ｂ    リム部
Ｔ２ｃ    胴部
ＴＰ      トラップ
Ｖ        垂直線
Ｗ        水洗トイレシステム
Ｘ        開同軸
ｄ１      距離
ｄ２      厚さ
ｈ１      小孔
ｈ２      小孔
ｈ３      小孔
ｍ１      鉄板
ｍ２      鉄板
ｍ３      永久磁石
α        角度
β        方向
【図１】
2010047992.tif 000003
【図２】
2010047992.tif 000004
【図３】
2010047992.tif 000005
【図４】
2010047992.tif 000006
【図５】
2010047992.tif 000007
【図６】
2010047992.tif 000008
【図７】
2010047992.tif 000009
【図８】
2010047992.tif 000010
【図９】
2010047992.tif 000011
【図１０】
2010047992.tif 000012
【図１１】
2010047992.tif 000013
【図１２】
2010047992.tif 000014
【図１３】
2010047992.tif 000015
【図１４】
2010047992.tif 000016
【図１５】
2010047992.tif 000017
【図１６】
2010047992.tif 000018
【図１７】
2010047992.tif 000019
【図１８】
2010047992.tif 000020
【図１９】
2010047992.tif 000021
【図２０】
2010047992.tif 000022
【図２１】
2010047992.tif 000023
【図２２】
2010047992.tif 000024
【図２３】
2010047992.tif 000025
【図２４】
2010047992.tif 000026
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
給水タンクと便器と便座とトラップのある排水部を有する水洗トイレシステムであって、便器部分が便鉢と基部の２部分よりなり、便鉢と基部の接続部分に便鉢回動手段が設けられ便鉢が基部に対して回動可能に構成されており、便鉢回動手段の回動面が水平面より３０°〜５０°の傾きをもっており、便鉢回動手段の回動軸は便鉢回動手段の中心を通過し回動面に直交しており、使用者が位置する側を前方とした場合に、男子大便用及び女子大小便用の位置にては便鉢が前方に延伸された形態となり、男子小便用の位置にては、便鉢が上方に延伸された形態となり、便鉢底部と排水部が水密且つ回動可能なジョイントであるスイベルジョイントあるいはロータリージョイントにて接続され、回動可能なジョイントの回動軸は便鉢回動手段の回動軸ともなっていることを特徴とする水洗トイレシステム。
【請求項２】
便鉢と基部の接続部分に設けられた便鉢回動手段がボールベアリング機構であることを特徴とする請求項１に記載の水洗トイレシステム。
【請求項３】
給水タンクがロータンクであり、内部が第１タンクと第２タンクの２部分に分割され、満水状態にて第１タンクの水位が第２タンクの水位より低くなるように構成されており、第１タンクの洗浄水を便鉢に給水する給水管が、便鉢が男子大便用及び女子大小便用の位置にある場合における便鉢の底部近傍に接続されて該接続部分から便鉢前方部壁部に設けられた空洞部に給水され給水された洗浄水が便鉢前方部のリム部に穿設された小孔から便鉢内壁に給水されるように構成され、第２タンクの洗浄水を便鉢に給水する給水管が、便鉢が男子大便用及び女子大小便用の位置にある場合における便鉢の後端部近傍に接続されて該接続部分から便鉢後方部壁部に設けられた空洞部に給水され給水された洗浄水の一部が便鉢後方の上部から中部に穿設された小孔及び便鉢後方部の空洞部下端部に設けられた小孔から便鉢内壁に給水されるように構成されていることを特徴とする請求項１あるいは請求項２に記載の水洗トイレシステム。
【請求項４】
便座がクランクを介して便器の基部の上部に連結されており、クランクのロッドが便器の基部の上部に対して回動可能であると同時に、便座がクランクのロッドに対して回動可能であることを特徴とする請求項１あるいは請求項２あるいは請求項３に記載の水洗トイレシステム。
【請求項５】
便座の略全体を蔽覆可能な便蓋を有し、該便蓋がクランクを介して便器の基部の上部に連結されており、クランクのロッドが便器の基部の上部に対して回動可能であると同時に、便蓋がクランクのロッドに対して回動可能であることを特徴とする請求項１あるいは請求項２あるいは請求項３あるいは請求項４に記載の水洗トイレシステム。
【手続補正２】
【補正対象書類名】明細書
【補正対象項目名】０００１
【補正方法】変更
【補正の内容】
【０００１】
本発明は、給水タンクと便器と便座とトラップのある排水部を有する水洗トイレシステムであって、便器部分が便鉢と基部の２部分よりなり、便鉢と基部の接続部分に便鉢回動手段が設けられ便鉢が基部に対して回動可能に構成されており、便鉢回動手段の回動面が水平面より３０°〜５０°の傾きをもっており、便鉢回動手段の回動軸は便鉢回動手段の中心を通過し回動面に直交しており、使用者が位置する側を前方とした場合に、男子大便用及び女子大小便用の位置にては便鉢が前方に延伸された形態となり、男子小便用の位置にては、便鉢が上方に延伸された形態となり、便鉢底部と排水部が水密且つ回動可能なジョイントであるスイベルジョイントあるいはロータリージョイントにて接続され、回動可能なジョイントの回動軸は便鉢回動手段の回動軸ともなっていることを特徴とする水洗トイレシステムに関するものである。
【手続補正３】
【補正対象書類名】明細書
【補正対象項目名】００２６
【補正方法】変更
【補正の内容】
【００２６】
本発明は、上記課題を解決するためになされたものであって、以下に示す解決手段を提供するものである。
＜解決手段１＞
給水タンクと便器と便座とトラップのある排水部を有する水洗トイレシステムであって、便器部分が便鉢と基部の２部分よりなり、便鉢と基部の接続部分に便鉢回動手段が設けられ便鉢が基部に対して回動可能に構成されており、便鉢回動手段の回動面が水平面より３０°〜５０°の傾きをもっており、便鉢回動手段の回動軸は便鉢回動手段の中心を通過し回動面に直交しており、使用者が位置する側を前方とした場合に、男子大便用及び女子大小便用の位置にては便鉢が前方に延伸された形態となり、男子小便用の位置にては、便鉢が上方に延伸された形態となり、便鉢底部と排水部が水密且つ回動可能なジョイントであるスイベルジョイントあるいはロータリージョイントにて接続され、回動可能なジョイントの回動軸は便鉢回動手段の回動軸ともなっていることを特徴とする水洗トイレシステム。
＜解決手段２＞
便鉢と基部の接続部分に設けられた便鉢回動手段がボールベアリング機構であることを特徴とする解決手段１に記載の水洗トイレシステム。
＜解決手段３＞
給水タンクがロータンクであり、内部が第１タンクと第２タンクの２部分に分割され、満水状態にて第１タンクの水位が第２タンクの水位より低くなるように構成されており、第１タンクの洗浄水を便鉢に給水する給水管が、便鉢が男子大便用及び女子大小便用の位置にある場合における便鉢の底部近傍に接続されて該接続部分から便鉢前方部壁部に設けられた空洞部に給水され給水された洗浄水が便鉢前方部のリム部に穿設された小孔から便鉢内壁に給水されるように構成され、第２タンクの洗浄水を便鉢に給水する給水管が、便鉢が男子大便用及び女子大小便用の位置にある場合における便鉢の後端部近傍に接続されて該接続部分から便鉢後方部壁部に設けられた空洞部に給水され給水された洗浄水の一部が便鉢後方の上部から中部に穿設された小孔及び便鉢後方部の空洞部下端部に設けられた小孔から便鉢内壁に給水されるように構成されていることを特徴とする解決手段１あるいは解決手段２に記載の水洗トイレシステム。
＜解決手段４＞
便座がクランクを介して便器の基部の上部に連結されており、クランクのロッドが便器の基部の上部に対して回動可能であると同時に、便座がクランクのロッドに対して回動可能であることを特徴とする解決手段１あるいは解決手段２あるいは解決手段３に記載の水洗トイレシステム。
＜解決手段５＞
便座の略全体を蔽覆可能な便蓋を有し、該便蓋がクランクを介して便器の基部の上部に連結されており、クランクのロッドが便器の基部の上部に対して回動可能であると同時に、便蓋がクランクのロッドに対して回動可能であることを特徴とする解決手段１あるいは解決手段２あるいは解決手段３あるいは解決手段４に記載の水洗トイレシステム。
【手続補正４】
【補正対象書類名】明細書
【補正対象項目名】００２７
【補正方法】変更
【補正の内容】
【００２７】
本発明の解決手段１の発明によれば、給水タンクと便器と便座とトラップのある排水部を有する水洗トイレシステムであって、便器部分が便鉢と基部の２部分よりなり、便鉢と基部の接続部分に便鉢回動手段が設けられ便鉢が基部に対して回動可能に構成されており、便鉢回動手段の回動面が水平面より３０°〜５０°の傾きをもっており、便鉢回動手段の回動軸は便鉢回動手段の中心を通過し回動面に直交しており、使用者が位置する側を前方とした場合に、男子大便用及び女子大小便用の位置にては便鉢が前方に延伸された形態となり、男子小便用の位置にては、便鉢が上方に延伸された形態となるので、男子大便用及び女子大小便用の位置にては通常の西洋式の大便器と同様の使い勝手で使用でき、また、男子小便用の位置にては男性用の小便器と同様の使い勝手で使用することが可能である。
【手続補正５】
【補正対象書類名】明細書
【補正対象項目名】００３１
【補正方法】変更
【補正の内容】
【００３１】
本発明の解決手段１の発明によれば、便鉢底部と排水部を接続する水密且つ回動可能なジョイントが、スイベルジョイントあるいはロータリージョイントであり、回動可能なジョイントの回動軸は便鉢回動手段の回動軸ともなっているので、便鉢と排水部が相対的に回動可能であり、且つ水密を保持して接続されるという点が、技術的に裏付けされており、実際の商品として充分に製作可能である。
【手続補正６】
【補正対象書類名】明細書
【補正対象項目名】００３２
【補正方法】変更
【補正の内容】
【００３２】
本発明の解決手段２の発明によれば、便鉢と基部の接続部分に設けられた便鉢回動手段がボールベアリング機構であるので、便鉢と基部の相対的な回動が技術的に保証され、実際の商品として充分に製作可能である。
【手続補正７】
【補正対象書類名】明細書
【補正対象項目名】００３３
【補正方法】変更
【補正の内容】
【００３３】
本発明の解決手段３の発明によれば、給水タンクがロータンクであり、内部が第１タンクと第２タンクの２部分に分割され、満水状態にて第１タンクの水位が第２タンクの水位より低くなるように構成されており、第１タンクの洗浄水を便鉢に給水する給水管が、便鉢が男子大便用及び女子大小便用の位置にある場合における便鉢の底部近傍に接続されて該接続部分から便鉢前方部壁部に設けられた空洞部に給水され給水された洗浄水が便鉢前方部のリム部に穿設された小孔から便鉢内壁に給水されるように構成され、第２タンクの洗浄水を便鉢に給水する給水管が、便鉢が男子大便用及び女子大小便用の位置にある場合における便鉢の後端部近傍に接続されて該接続部分から便鉢後方部壁部に設けられた空洞部に給水され給水された洗浄水の一部が便鉢後方の上部から中部に穿設された小孔及び便鉢後方部の空洞部下端部に設けられた小孔から便鉢内壁に給水されるように構成されているので、男子大便時及び女子大小便時には、第１タンクと第２タンクの双方から給水することにより、便鉢の内部を隈なく洗浄することが可能となる。
【手続補正８】
【補正対象書類名】明細書
【補正対象項目名】００３８
【補正方法】変更
【補正の内容】
【００３８】
本発明の解決手段４及び解決手段５の発明によれば、便座がクランクを介して便器の基部の上部に連結されており、クランクのロッドが便器の基部の上部に対して回動可能であると同時に、便座がクランクのロッドに対して回動可能に設けられており、また、便蓋を有する場合には、便蓋がクランクを介して便器の基部の上部に連結されており、クランクのロッドが便器の基部の上部に対して回動可能であると同時に、便蓋がクランクのロッドに対して回動可能に設けられているので、便鉢が男子小便用の位置にある場合には便座と便蓋が有る場合には便蓋を共に回動起立させて便器後方に位置させ、便鉢が男子大便用及び女子大小便用の位置にある場合には、便座は便器上に水平に位置させ、便蓋が有る場合には便蓋のみを回動起立させて便器後方に位置させることが可能である。